(57)【要約】【課題】  循環気流フィルターの塵埃を回収した集塵ボックスと、吸気用の外気フィルターの清掃が簡単にでき、しかも室内を外気で汚染しない空気調和機を提供する。【解決手段】  循環気流フィルターの清掃機構と、該清掃機構により除去された塵埃の貯留部と、外気の室内への導入機構と、該導入機構に付設された外気フィルターと該外気フィルターの収納部とを有する空気調和機において、該貯留部と該収納部が隣接して設けられている。【選択図】図１２
2008116122.tif 000002
【特許請求の範囲】
【請求項１】
循環気流フィルターの清掃機構と、該清掃機構により除去された塵埃の貯留部と、外気の室内への導入機構と、該導入機構に付設された外気フィルターと該外気フィルターの収納部とを有する空気調和機において、該貯留部と該収納部が隣接して設けられていることを特徴とする空気調和機。
【請求項２】
前記貯留部が前記収納部より循環気流フィルター側に設けられていることを特徴とする請求項１記載の空気調和機。
【請求項３】
前記貯留部が、前記外気フィルターと一緒に、空気調和機から着脱可能に構成されていることを特徴とする請求項１記載の空気調和機。
【請求項４】
前記貯留部及び前記外気フィルターが室内側から着脱可能であることを特徴とする請求項３記載の空気調和機。
【請求項５】
循環気流フィルターの清掃機構と、外気を室内へ給気する給気機構とを備えた空気調和機であって、
集塵ボックスを備え、
この集塵ボックスには、前記清掃機構により清掃された塵埃を貯留する貯留部と、給気機構により給気する外気の塵埃を除去する外気フィルターを収納する収納部と、を一体に構成した空気調和機。
【請求項６】
請求項５において、
前記集塵ボックスは、前記空気調和機の前面から挿入されることを特徴とする空気調和機。
【請求項７】
請求項６において、
前記循環気流フィルターを覆うパネルを供え、
前記集塵ボックスの抜き挿しは、前記パネルを開いた状態で行われることを特徴とする空気調和機。
【請求項８】
請求項５において、
前記集塵ボックスが装着された場合に、前記収納部と前記貯留部とを遮断する仕切りシールを有することを特徴とする空気調和機。
【請求項９】
請求項５において、
前記集塵ボックスが装着された場合に、前記室内と前記貯留部とを遮断する蓋部シールを有することを特徴とする空気調和機。
【請求項１０】
請求項５において、
前記清掃機構を前記空気調和機の前部から上部にかけて配し、
前記給気機構である外気導入機構を前記空気調和機の背部から下部にかけて配したことを特徴とする空気調和機。
【請求項１１】
請求項１０において、
前記集塵ボックスが装着された場合に、前記収納部と前記外気導入機構との連結をシールする外気フィルター上流開口シールとを有することを特徴とする空気調和機。
【請求項１２】
請求項５において、
前記外気フィルターは、脱臭機能をも有することを特徴とする空気調和機。
【発明の詳細な説明】
【技術分野】
【０００１】
本発明は空気調和機に係り、特にフィルターのメンテナンスに好適な構造に関する。
【背景技術】
【０００２】
空気調和機は室内空気を熱交換器に循環させて、加熱，冷却，除湿機能などにより調和空気にし、これを室内に吹出すことにより室内を空気調和する。このとき、循環空気中の塵埃を除去する循環気流フィルターを備えて、熱交換器に塵埃が付着し熱交換性能が低下することのないように、また、室内を清浄な空間にし、居住者が快適に過ごせるようにしている。循環気流フィルターにはこのように常に室内空気が循環しているので、室内空気中の塵埃が徐々に蓄積されて行く。
【０００３】
このため、適宜な時期に循環気流フィルターを清掃する必要が有る。しかし、空気調和機は室内の高所に据付けられることが多く、高齢者等には手が届き難いため、循環気流フィルターの清掃を自動で行うように種々の工夫が凝らされている。この種の従来技術として、特許文献１〜５が知られている。
【０００４】
特許文献１は室内熱交換器と、排気ユニットと吸気ユニットとを具備する換気装置と、両軸モータで駆動される排気ファンと吸気ファンと、室内熱交換器側に開口する吸気吐出ダクトとで構成し、外気も空調し、経済的に運転でき、且つ小型化，軽量化され、室内空気の排気と外気の吸気の両方を同時に行うことができるとともに、室内空気の空調効率低下を抑制する換気装置及びこれを備えた空気調和機について述べている。
【０００５】
特許文献２は室内機筐体内に室内機筐体内の空気の一部を屋外へと排出する排気手段を設け、この排気手段の排気経路上にフィルターに付着したゴミを回収するゴミ回収箱を設け、フィルターに付着したゴミを自動的に回収し、かつ、回収したゴミを排気手段によって屋外へ廃棄し、フィルター表面上に付着したゴミを自動的に除去するとともに、回収したゴミを屋外に廃棄できる空気調和機について述べている。
【０００６】
特許文献３は空気清浄集塵部にて集塵された塵埃を除去するブラシと、ブラシにて除去された塵埃を室外へ排出させる換気ダクトとを設け、メンテナンスを不要とした空気調和機について述べている。
【０００７】
特許文献４はフィルターブラシを、回転ブラシと、回転ブラシを下方から覆うブラシカバーとで構成し、回転ブラシの両端部にはピニオンを、また、ブラシカバーには吸引口を設け、一方、ラック状に形成された支持レールを、吹出口の両側部に１本ずつ設ける。フィルターブラシを、ピニオンと支持レールとが係合するように設け、フィルターブラシを動かすと回転ブラシが回転し、フィルターからほこり等を除去する。また、フィルターから除去されたほこり等を吸引口から吸引して排出し、フィルターの清掃に要する労力を軽減する空気調和装置の室内機について述べている。
【０００８】
特許文献５はフィルターと、フィルターを支持固定するフィルター枠と、フィルターの上流側表面に沿って左右に移動可能なノズルと、ノズルに連結された吸引装置と、除去した塵埃を排気する排気装置とを備えたもので、フィルターを空気調和機本体に取付けたままで、ノズルをフィルターの上流側表面に沿って左右に移動させながら吸引装置を運転するだけで、フィルターの全面に渡って付着した塵埃を簡単に除去することができ、フィルターを空気調和機本体から取外すことなく、簡単に清掃できる空気調和機について述べている。
【０００９】
【特許文献１】特開２００２−５４７２号公報
【特許文献２】特開２００４−１３８３２９号公報
【特許文献３】特許第３２５８９３６号公報
【特許文献４】特開平１１−２２６３３１号公報
【特許文献５】特開２００５−１４７５４６号公報
【発明の開示】
【発明が解決しようとする課題】
【００１０】
昨今のように近隣とのコミュニケーションが疎遠な状況では、自分の行動が自分の気付かないところで他人に不快感を与えていることに気付かないことも多く、そのまま過ごしていると、気付かないゆえの同じ行動の反復のため、思わぬところで思わぬトラブルに発展する場合が生ずる。これを避けるため、コミュニケーションが疎遠な中でも、良き隣人として行動し、できるだけ近隣とのトラブルを避けようと配慮する人達も多い。このような人達には、室内の換気に伴なう排気の行方も配慮する必要があり、自家の排気が他家に不快になら無いように気配りした製品が求められている。
【００１１】
また、外気に含まれるアレルゲンに過剰に反応する人が少なからず居て、これらの人達の居る室内を排気換気すると、排気した量の外気が建物の隙間から流れ込み、室内がアレルゲンで汚染されてしまう。このため、換気を吸気で行い、吸気経路の途中でアレルゲン物質を捕捉する方法を取る必要がある。
【００１２】
特許文献１では吸気の清浄化についての言及はなく、また、循環気流用フィルターの除去塵埃についての言及もない。
【００１３】
特許文献２〜５では回収した塵埃を室外に排出するため、良き隣人を願う人への配慮が不足している。また、排気することにより、外気に含まれる花粉などのアレルゲンを家屋の隙間から侵入させることになる点についての言及は無い。
【００１４】
従って、フィルターのメンテナンスを近隣に迷惑をかける虞無く簡便に行い、また、室内を外気で汚染しない空気調和を行うことが望まれる。
【００１５】
本発明は、循環気流フィルターの塵埃を回収した集塵ボックスと、吸気用の外気フィルターの清掃が簡単にできる空気調和機を提供することを目的とする。更に、室内を外気で汚染しない空気調和機を提供することを目的とする。
【課題を解決するための手段】
【００１６】
本発明の目的は、循環気流フィルターの清掃機構と、該清掃機構により除去された塵埃の貯留部と、外気の室内への導入機構と、該導入機構に付設された外気フィルターと該外気フィルターの収納部とを有する空気調和機において、該貯留部と該収納部が隣接して設けることにより達成される。
【００１７】
また、本発明の目的は、循環気流フィルターの清掃機構と、外気を室内へ給気する給気機構とを備えた空気調和機であって、
集塵ボックスを備え、
この集塵ボックスには、前記清掃機構により清掃された塵埃を貯留する貯留部と、給気機構により給気する外気の塵埃を除去する外気フィルターを収納する収納部と、を一体に構成することにより達成される。
【発明の効果】
【００１８】
本発明によれば、循環気流フィルターの塵埃を回収した集塵ボックスと、吸気用の外気フィルターのメンテナンスが簡単にできる。更に、室内を外気で汚染することが無い空気調和機を提供することができる。また、配置に無駄が無くなり省スペース化が図れる。また、使用者の利便性が向上する。
【発明を実施するための最良の形態】
【００１９】
以下、本発明の空気調和機の一実施例について図を用いて説明する。まず、空気調和機の全体構成を、図１〜図３を用いて説明する。図１は空気調和機の構成図である。図２は図１の室内機の内部正面図である。図３は図１の室内機の側断面図である。
【００２０】
図１において、符号１で総括的に示すのは空気調和機であり、室内機２と室外機６を冷媒配管８でつなぎ、室内を空気調和する。室内機２は筐体２１の中央部に熱交換器３３を置き、熱交換器３３の下部に熱交換器３３の幅と略等しい長さの貫流ファン方式の送風ファン３１１を配置し、露受皿３５等を取付け、化粧枠２３で覆い、化粧枠２３の前面に前面パネル２５を取付けた構成になっている。
【００２１】
化粧枠２３には室内空気を吸込む空気吸込み口２７と、温湿度が調和された空気を吹出す空気吹出し口２９とが上下に設けられ、送風ファン３１１からの吹出し気流を送風ファン３１１の長さに略等しい幅を持つ吹出し風路２９０に流し、吹出し風路２９０の途中に配した左右風向板２９５で気流の左右方向を偏向し、更に、吹出し口２９につけた上下風向板２９１によって気流の上下方向を偏向し、室内に吹出している。また、上下風向板２９１の側方部には運転状況を表示する表示部３９７と、別体のリモコン５からの赤外線の操作信号を受ける受光部３９６が配置されている。
【００２２】
筐体２１には送風ファン３１１，循環気流フィルター２３１，熱交換器３３，露受皿
３５，上下風向板２９１，左右風向板２９５等の基本的な内部構造体が取付けられる。そして、筐体２１の内側に取付けられた送風ファン３１１等の基本的な内部構造体は、化粧枠２３を取付けることにより室内機２内に内包される。
【００２３】
化粧枠２３の下面に形成される空気吹出し口２９は、前面パネル２５との分割部に隣接して配置され、奥の吹出し風路２９０に連通している。２枚の上下風向板２９１は閉鎖状態で吹出し風路２９０をほぼ隠蔽して、室内機２の底面に連続した大きな曲面を形成する。そして、上下風向板２９１は両端部に設けた回動軸を支点にして、リモコン５からの指示に応じて、図示しない駆動モータにより、空気調和機の運転時に所要の角度回動して空気吹出し口２９を開き、その状態を保持する。空気調和機の運転停止時には、空気吹出し口２９を閉じるように制御される。
【００２４】
また、左右風向板２９５は下端部に設けた回動軸を支点にして、図示しない駆動モータにより回動可能に構成され、リモコン５からの指示に応じて回動してその状態を保持し、吹出し空気を左右の所望の方向に吹出させる。なお、リモコン５から指示することにより、空気調和機の運転中に上下風向板２９１，左右風向板２９５を周期的に揺動させ、室内の広範囲に周期的に吹出し空気を送ることもできる。
【００２５】
また、前面の可動パネル２５１は図示しない駆動モータを回転させることにより、下部に設けた回動軸を支点として回動可能に構成され、空気調和機の運転時に前側空気吸込部２３０′を開き、循環気流フィルター２３１からだけでなく前側空気吸込部２３０′からも室内空気を室内機２内に吸引する。空気調和機の停止時には、前側空気吸込部２３０′を閉じるように制御される。
【００２６】
そして、本実施例の室内機２によれば、停止時は空気吹出し風路２９０と前側空気吸込部２３０′を上下風向板２９１と可動パネル２５１で隠蔽してインテリアに調和させている。運転時には上下風向板２９１，左右風向板２９５をリモコン５からの指示に応じて回動させる。これと共に、可動パネル２５１を開いて前側空気吸込部２３０′及び上側空気吸込部２３０から室内空気を吸込む。吸込んだ室内空気を内部の熱交換器３３で冷風または温風にして前記空気吹出し口２９から吹出すことができる。
【００２７】
この空気調和機１を運転する時には、電源（図示せず）に接続してリモコン５を操作し、所望の冷房，除湿，暖房等の運転を行う。冷房等の運転の場合、送風ファン３１１の前方の部分の熱交換器３３に室内空気を通すため、図３の如く、前面パネル２５の一部を構成する可動パネル２５１を回動させて開く。上側空気吸込部２３０及び開いた可動パネル２５１の奥の化粧枠２３の前側空気吸込部２３０′を通して熱交換器３３に室内空気を流通させる。
【００２８】
室内機２は、内部の図示しない電装品ボックスに制御基板を備え、該制御基板にマイコンが設けられる。該マイコンは図示しない室内温度センサー、室内湿度センサー等の各種のセンサーからの信号を受け、リモコン５からの操作信号を受光部３９６で受けると共に、室内送風ファン３１１，可動パネル駆動モータ，上下風向板駆動モータ，左右風向板駆動モータ等を制御し、且つ、室外機との通信を司るなど、室内機２を統括して制御する。
【００２９】
室内機２は、運転停止状態で、図３に一点鎖線で示すように、可動パネル２５１及び上下風向板２９１が閉鎖された状態となっている。この状態で、リモコン５から運転操作の信号が送信されると、図示しないマイコンは、リモコン５からの操作信号または自動運転が設定されていれば各種センサーからの情報に基づいて冷房、または暖房等の運転モードを決定する。該決定に基づいて可動パネル２５１及び上下風向板２９１を動作させて、気流の通路を開放状態にする。このとき、空気吸込部２３０′が開放されるが室内からの視線は可動パネル２５１で遮られて室内機２の内部までは届かず、部屋のインテリアを損なうことは無い。
【００３０】
つまり、マイコンは、図示しない駆動モータを動作させ、上下風向板２９１，左右風向板２９５をリモコン５からの指示に対応した吹出し角度まで回動させる。また、マイコンは、前記上下風向板２９１の動作に連動して可動パネル２５１を開く可動パネル駆動モータを動作させる。
【００３１】
次に、マイコンは室内送風ファン３１１を回転させ、上側及び前側の空気吸込部２３０，２３０′から室内空気を吸込む。吸込んだ室内空気を熱交換器３３で温風または冷風あるいは熱交換しないで上下風向板２９１，左右風向板２９５に沿って空気吹出し口２９から吹出させるように制御する。一方、運転を停止する際は、室内送風ファン３１１を停止し、可動パネル２５１の駆動モータ及び上下風向板２９１の駆動モータを逆回転させる。このようにすることで開の状態から閉の状態に戻すように制御する。
【００３２】
循環気流フィルター２３１は熱交換器３３の吸込側を覆うように配置され、吸込まれた室内空気中に含まれる塵埃を取除くためのものである。送風ファン３１１は横長の貫流ファンで構成され、室内空気を空気吸込み口２７から吸込んで空気吹出し口２９から吹出すように室内機２内の中央に配置されている。熱交換器３３は送風ファン３１１の吸込側に配置され、略逆Ｖ字状に形成されている。
【００３３】
露受皿３５は熱交換器３３の前後両側の下端部下方に配置され、冷房運転時や除湿運転時に熱交換器３３に発生する凝縮水を受けるために設けられている。受けて集められた凝縮水はドレン配管３７を通して室外に排出される。これらによって、空調される室内空気を流す主風路が形成される。即ち、送風ファン３１１を運転することで、室内空気は空気吸込み口２７から吸込まれ、循環気流フィルター２３１を介し、熱交換器３３にて熱交換された後、空気吹出し口２９から室内に吹出される。
【００３４】
次に、循環気流フィルターの清掃手段について図４を用いて説明する。図４は清掃機構の斜視図である。
【００３５】
実施例では熱交換器３３の上流の上側空気吸込み部２３０と前側空気吸込み部２３０′に面した略直行する二面に、平面状の循環気流フィルター２３１，２３１′を設ける。循環気流フィルター２３１，２３１′は案内枠２３４に係着され、案内枠２３４は上側後部と前側下部にレール２３５，２３５′を、循環気流フィルター２３１，２３１′を延長した交叉部に推進軸２４３を備える。
【００３６】
ここで、同一の機能を有する部分が上側循環気流フィルター２３１用と、前側循環気流フィルター２３１′用にある場合は、前側循環気流フィルター２３１′用の部分に上側循環気流フィルター２３１用の部分の符号に「′」をつけて区別する。
【００３７】
推進軸２４３は多角形断面を有し、案内枠２３４に設けた軸受２４５に軸支され、片側の軸受２４５を貫通した一端に取付けた歯車を介して、案内枠２３４に固定した移動用モータ２４２に連結される。推進軸２４３にはスクリュウ２４４，キャリッジ２６１が緩装され、スクリュウ２４４は案内枠２３４に設けられた、推進軸２４３と平行なラック237に噛合している。
【００３８】
キャリッジ２６１とレール２３５，２３５′との間には刷毛支持枠２６２，２６２′が各々循環気流フィルター２３１,２３１′を跨いで懸架され、刷毛支持枠２６２,２６２′には循環気流フィルター２３１，２３１′を掃いて掃除する掃除用刷毛２６７，２６７′が取付けられている。
【００３９】
しかして、移動用モータ２４２を回転させることで、推進軸２４３，スクリュウ２４４が回転し、ラック２３７に沿って、スクリュウ２４４が移動用モータ２４２の回転方向に応じて左右方向に動き、キャリッジ２６１を移動させる。これにより、掃除用刷毛２６７，２６７′が循環気流フィルター２３１，２３１′に摺接しながら掃くように移動し、循環気流フィルター２３１，２３１′上の塵埃を掃除用刷毛２６７，２６７′に掃き取り、案内枠２３４の左部の除去ブラシ２７１，２７１′に移動させる。
【００４０】
掃除用刷毛２６７，２６７′の毛は例えばＪＩＳ  Ｓ３０１６に規定する毛の硬さ５０以下の柔らかな毛を使用し、循環気流フィルター２３１，２３１′面に掃除用刷毛２６７，２６７′を押し付けて移動したときに、循環気流フィルター２３１，２３１′が掃除用刷毛２６７，２６７′の押し付けで変形した後も重複代が２mm以上確保できるよう循環気流フィルター２３１，２３１′の剛性に合わせて選定するのが良い。ここで重複代とは、掃除用刷毛２６７，２６７′の毛が変形しないで真直ぐな状態と仮定したときの循環気流フィルター面の位置から、変形した状態の毛先までの長さに対応する循環気流フィルター面の位置までの二点間の長さを言う。
【００４１】
このように、掃除用刷毛２６７，２６７′に軟毛を使用するので、循環気流フィルター２３１，２３１′を変形させる力が小さく、循環気流フィルター２３１，２３１′を片側から掃くだけでよく、循環気流フィルター２３１，２３１′を裏側から支えなくても循環気流フィルター２３１，２３１′上の塵埃を掃き取ることができる。このため、掃除用刷毛２６７，２６７′で循環気流フィルター２３１，２３１′を掃引する時の駆動機構を循環気流フィルター２３１，２３１′の片側だけに設ければ良くなるので駆動機構が大幅に簡略化される。
【００４２】
次に、清掃機構の構成及び動作について上側の清掃機構を例に取り、図５を用いて説明する。図５は捕集塵埃の掃き取り動作を示す説明図である。
【００４３】
循環気流フィルター２３１の右方には清掃動作が行われていない時に掃除用刷毛２６７が待機する待機部２３８がある。これが清掃動作する時には、待機部２３８に図５のＦ部に示す如く待機していた掃除用刷毛２６７を駆動機構を運転して、循環気流フィルター
２３１を掃引するよう図５のＤ部に示す如く移動させる。この時、掃除用刷毛２６７の毛先は凹所Ｆ２３４ｆの開放状態から傾斜Ｆ２３３ｆを通って突出している循環気流フィルター２３１面に徐々に毛先を曲げ変形させながら乗り上げ、循環気流フィルター２３１としっかり摺接する。
【００４４】
掃除用刷毛２６７は除去ブラシ２７１の方向に移動しながら循環気流フィルター２３１を掃引し、塵埃２３６を掃き取る。循環気流フィルター２３１の掃引を終了した掃除用刷毛２６７は掃き取った塵埃２３６と共に、図５のＣ部を通って、除去ブラシ２７１に至り、除去ブラシ面２７１ａと有効に摺接しながら、塵埃２３６を除去ブラシ２７１に移載する。
【００４５】
次に、除去ブラシ２７１，２７１′，塵埃戻り防止ブラシ２７３，２７３′の動作について上側の除去ブラシ２７１，塵埃戻り防止ブラシ２７３を例にとって、図６〜図９を用いて説明する。尚、図６〜図９の各動作説明図には図６（ａ），図６（ｂ），図７（ｃ），図７（ｄ），図８（ｅ），図８（ｆ）,図９（ｇ）,図９（ｈ）の如く、動作順に（ａ）〜（ｈ）の図面番号を付している。
【００４６】
除去ブラシ２７１は循環気流フィルター２３１の側方に設けられ、図６（ａ）の如く、ブラシホルダー２７６に回動可能に軸支され、半円筒状をなしている。半円筒面の約半分の部分は傾斜植毛されたブラシ面２７１ａを構成し、他の半円筒面は非ブラシ面２７１ｂとなっている。傾斜植毛の方向は半円筒の軸に直角で、循環気流フィルター２３１方向となっており、刷毛支持枠２６２の移動に伴って、循環気流フィルター２３１に摺接して掃除用刷毛２６７が掃き集めた循環気流フィルター２３１上の塵埃を図６（ｂ）のようにブラシ面２７１ａに擦り付ける。
【００４７】
掃除用刷毛２６７の移動方向とブラシ面２７１ａの傾斜植毛の方向が逆方向になるので、ブラシ面２７１ａは掃除用刷毛２６７が運んできた塵埃を掻き取り、ブラシ面２７１ａに保持する。２６８は刷毛押えであり、掃除用刷毛２６７の過度の変形を抑制し、掃除用刷毛２６７の循環気流フィルター２３１を掃除する機能を低下させないためのものである。
【００４８】
刷毛支持枠２６２が更に左方に移動すると図７（ｃ）のように刷毛支持枠２６２のレバー突起２６９が除去ブラシ２７１と同軸に取付けられた回動レバー２７１ｃを押し、回動レバー２７１ｃを左方に押す。回動レバー２７１ｃは回動ばね２７１ｄを介して除去ブラシ２７１に取付けられ、回動ばね２７１ｄは回動レバー２７１ｃを時計回りの方向に付勢している。
【００４９】
回動レバー２７１ｃはレバー突起２６９に押されて、図７（ｄ）のように反時計方向に回動し、終には、レバー突起２６９が回動レバー２７１ｃを乗り越え、図８（ｅ）のように回動レバー２７１ｃは回動ばね２７１ｄの付勢力によって時計方向に逆回動してストッパ２７１ｆのところまで戻り、図６（ａ）と同じ位置になる。
【００５０】
刷毛支持枠２６２はレバー突起２６９が回動レバー２７１ｃを乗り越えたところで停止し、反転して循環気流フィルター２３１方向に移動を始める。２７１ｅは除去ブラシ271に取付けられたひれであり、ブラシ面２７１ａに摺接しなかった掃除用刷毛２６７の根元に近い部分の塵埃を掃き取るものである。
【００５１】
次に刷毛支持枠２６２の移動方向が反転後の動作を図８，図９により説明する。
【００５２】
反転して循環気流フィルター２３１方向に移動した刷毛支持枠２６２は図８（ｆ）のように、レバー突起２６９で回動レバー２７１ｃを右方向に押し、回動レバー２７１ｃを時計回り方向に回動させる。回動レバー２７１ｃは除去ブラシ２７１のストッパ２７１ｆを介して除去ブラシ２７１を時計回り方向に押し、除去ブラシ２７１は戻しばね２７７による反時計回り方向の付勢力に抗して回動する。
【００５３】
除去ブラシ２７１の回動に伴い、除去ブラシ面２７１ａが塵埃戻り防止ブラシ２７３の塵埃戻り防止ブラシ面２７３ａに摺接しながらブラシホルダー２７６の内部に潜り込む。このとき、塵埃戻り防止ブラシ面２７３ａは押圧ばね２７８で除去ブラシ面２７１ａに押圧されているので、除去ブラシ面２７１ａと塵埃戻り防止ブラシ面２７３ａの摺接状態が保たれている。塵埃戻り防止ブラシ２７３の塵埃戻り防止ブラシ面２７３ａには除去ブラシ面２７１ａと摺接する位置で除去ブラシ面２７１ａの傾斜植毛の傾斜方向と同じ向きに傾斜植毛が施されている。このため、除去ブラシ面２７１ａがブラシホルダー２７６の内部に潜り込む時に、除去ブラシ面２７１ａに保持された塵埃２３６も、塵埃戻り防止ブラシ面２７３ａの傾斜植毛に妨げられることなくブラシホルダー２７６の内部に潜り込む。
【００５４】
回動レバー２７１ｃはレバー突起２６９に押されて、図９（ｇ）のように時計方向に回動し、終には、レバー突起２６９が回動レバー２７１ｃを乗り越える。レバー突起２６９が回動レバー２７１ｃを乗り越えると、図９（ｈ）のように回動レバー２７１ｃは、戻しばね２７７の付勢力によって反時計方向に回動し、ひれ２７１ｅがブラシホルダー２７６の開口縁に当たり、この開口縁がストッパ代わりとなって、図５（ｂ）と同じ状態になる。その後、図６（ａ）に示すように掃除用刷毛２６７が循環気流フィルター２３１の塵埃２３６を運んでくるのに備えて待機する。
【００５５】
上記除去ブラシ２７１が反時計方向に回動するときに、塵埃戻り防止ブラシ面２７３ａの傾斜植毛の方向が除去ブラシ２７１の回動方向と逆になるので、図８（ｆ），図９(ｇ)で除去ブラシ２７１に保持されていた塵埃２３６は、塵埃戻り防止ブラシ面２７３ａに掻き取られる。
【００５６】
この掻き取られた塵埃２３６は、最初は塵埃戻り防止ブラシ面２７３ａの傾斜植毛部に大部分が絡み付いて、保持されている。しかし、掃除用刷毛２６７が次に、往復すると、除去ブラシ２７１と塵埃戻り防止ブラシ２７３が再度摺接する。この時、図８（ｆ），図９(ｇ)のように、新たな塵埃２３６が、除去ブラシ２７１によってブラシホルダー２７６の内部に潜り込むと同時に塵埃戻り防止ブラシ面２７３ａの傾斜植毛部に絡み付いている塵埃２３６を除去ブラシ面２７１ａの内方端部が掻き取って、ブラシホルダー２７６の更に内部に潜り込ませる。この更に潜り込んだ塵埃２３６は図９（ｈ）のようにレバー突起２６９が回動レバー２７１ｃを乗り越えて除去ブラシ２７１が元の状態に戻る時に、再度塵埃戻り防止ブラシ面２７３ａの内方端部に掻き取られる。このように、塵埃戻り防止ブラシ面２７３ａの内方端部に掻き取られた塵埃２３６は、掃除用刷毛２６７の往復に伴う、除去ブラシ２７１の回動毎に、塵埃戻り防止ブラシ２７３と除去ブラシ２７１の間の移動を繰返し、その一部は移動に失敗してブラシホルダー２７６の内部に落下する。除去ブラシ２７１の回動を繰返すことで新たな塵埃２３６を次々加えながら塵埃戻り防止ブラシ２７３と除去ブラシ２７１の間を移動する塵埃２３６の量が増えるに伴って、塵埃戻り防止ブラシ２７３と除去ブラシ２７１の間の移動に失敗する塵埃２３６も多くなり、次々とブラシホルダー２７６の内部に落下する。このため、長い時間の間隔で見ると掃除用刷毛２６７で掃き取られた循環気流フィルター２３１の塵埃２３６は粛々とブラシホルダー
２７６の内部に落下してゆき、ブラシホルダー２７６の内部から逆流してくることは無い。このように、塵埃戻り防止ブラシ２７３に掻き取られた塵埃２３６は、次回以降の図８（ｅ），図８（ｆ），図９（ｇ），図９（ｈ）に示す除去ブラシ２７１の往復動作で、除去ブラシ２７１が塵埃戻り防止ブラシ面２７３ａの傾斜植毛の方向に摺接して回動する際に、及び、除去ブラシ２７１が塵埃戻り防止ブラシ面２７３ａの傾斜植毛の方向と逆方向に摺接して回動する際にブラシホルダー２７６の内部に押し出される。これによって、塵埃２３６がブラシホルダー２７６の内部に溜まる。このように、一旦、掃除用刷毛２６７に掃き取られた塵埃２３６は除去ブラシ２７１，塵埃戻り防止ブラシ２７３で掻き取られ、ブラシホルダー２７６の内部に溜まり、循環気流フィルター２３１面に再付着することは無い。また、ブラシホルダー２７６は底部が開口していて、この底部開口は除去塵埃ホッパー２８１のホッパー開口２８１ａに対向している。
【００５７】
次に掃除用刷毛２６７は清掃時とは逆向きに毛先を変形させて循環気流フィルター231に摺接しながら移動し、待機部２３８に向かう。
【００５８】
次に、集塵ボックス２８４に設けられた除去塵埃貯留部２８４ａ及び外気フィルター収納部２８４ｂについて図１０〜図１２を用いて説明する。図１０は除去塵埃ホッパーの斜視図である。図１１は集塵ボックスの斜視図である。図１２は図２のＡＡ断面図である。
【００５９】
前記除去ブラシ２７１，２７１′は前述したように、循環気流フィルター２３１，
２３１′の各々の側方に設けられ、本実施例では上側循環気流フィルター２３１，前側循環気流フィルター２３１′の左方に上側除去ブラシ２７１，前側除去ブラシ２７１′が各々の循環気流フィルター面に平行に設けられている。上側除去ブラシ２７１の下方、前側除去ブラシ２７１′の後方には図１０に示すような除去塵埃ホッパー２８１が置かれ、除去塵埃ホッパー２８１には上側除去ブラシ２７１，前側除去ブラシ２７１′が回動してブラシホルダー２７６，２７６′の内部に潜り込んだ時にその各々に対向するようにホッパー開口２８１ａ，２８１ａ′が除去塵埃ホッパー２８１の上方から前方の位置に開設されている。
【００６０】
このため、ブラシホルダー２７６，２７６′の内部で塵埃戻り防止ブラシ面２７３ａ，２７３ａ′に掻き取られた塵埃２３６は、次々に運ばれてくる塵埃２３６に押されて、塵埃戻り防止ブラシ面２７３ａ，２７３ａ′から離れ、ブラシホルダー２７６，２７６′内を落下する。落下した塵埃２３６は対向しているホッパー開口２８１ａ，２８１ａ′を通り、除去塵埃ホッパー２８１内を落下し、図１１に示すような集塵ボックス２８４の除去塵埃貯留部２８４ａに集塵される。除去塵埃ホッパー２８１の下部前方には除去塵埃排出口２８１ｂが設けられ、そこに集塵ボックス２８４を挿入して塞ぎ、通常の使用時に集塵ボックス２８４内の塵埃が周囲に飛散しないようにしている。
【００６１】
これにより、掃除用刷毛２６７，２６７′で循環気流フィルター２３１，２３１′面から掃き取った塵埃２３６は、除去ブラシ２７１，２７１′で掻き取られ、塵埃戻り防止ブラシ２７３，２７３′に送られホッパー開口２８１ａ，２８１ａ′を介して集塵ボックス２８４の除去塵埃貯留部２８４ａに貯留され、貯留された塵埃が適宜な量に達したときには集塵ボックス２８４を除去塵埃排出口２８１ｂから取外して、除去塵埃貯留部２８４ａ内に貯留された塵埃２３６を廃却する。このため、循環気流フィルター２３１，２３１′の塵埃２３６が空気調和機内部で散乱するのを抑制できる。
【００６２】
この時、図１２に示す如く、前記除去塵埃ホッパー２８１を空気調和機の前部、上部に置き、後述する外気導入機構３２（図１３，図１４参照）を除去塵埃ホッパー２８１の背部，下部に置く。このように配置することにより、室内機２の前側，上側に設置されることの多い、循環気流フィルター２３１，２３１′から清掃機構で回収してきた塵埃の移動経路を単純化でき、障害の少ない移動経路とすることができる。当然のことながら障害の少ない移動経路とすることで集塵動作の信頼性も向上させることができる。
【００６３】
次に、外気導入機構３２による吸気運転について図１２，図１３を参照しながら説明する。図１３は外気導入機構の透視斜視図である。
【００６４】
外気導入機構３２は、室内機２内の一側部に配置される。具体的には、外気導入機構
３２は、送風ファン３１１用の送風モータ３１３と反対側部に組み込まれている。
【００６５】
外気導入機構３２は、新鮮な室外空気を取込む外気導入機構の吸込み口３２５を後部に有している。そして、外気導入機構の吸込み口３２５には換気風路３９が接続され、この換気風路３９が室内機２と室外機６を接続する冷媒配管８と一緒に家屋の配管穴を貫通して室外に引き出され、換気風路３９の先端が外気に開放され、冷媒配管８は室外機６に接続される。
【００６６】
外気導入機構３２には吸気運転と運転停止の状態がある。そして、吸気運転では、外気導入機構の吸込み口３２５から室外空気を吸込み、室内へ吹出す。なお、室内への吹出しについては必ずしも直接室内に吹出す外気吹出し口を設ける必要はなく、循環気流の循環経路の適所に吹出し口を設けても良く、また、明確な吹出し経路を備えなくても、結果的に室内に吹出していれば、吸気の目的を達成できる。なお、運転停止の状態では当然であるが風は流れることはない。
【００６７】
また、特に説明しないが、それぞれの運転モードの切り換えは、リモコンの操作部で行うか、室内機２の操作部で行う。また、図示しない制御装置からの指令により、周囲の環境条件や空気調和機の運転経過などに応じて自動的に運転モードの切り換えを行うこともできる。外気導入機構３２の運転は室内機２の冷暖房運転と併用して運転することもできれば、外気導入機構３２単独で運転することもできる。更に、外気導入機構３２にタイマーを設けて一定時間運転後、自動的に運転を停止させることも可能である。
【００６８】
即ち、吸気運転では室外空気が吸込まれ、外気吸込み風路３２８ｂの途中に置かれた外気フィルター３２７ｂで粒径１０μｍ以上の塵埃を９９.９％ に近い高効率で捕集し、清浄な空気として室内に吹出す。このような外気フィルター３２７ｂとしては、例えば、脱臭機能も有する給気空清フィルターが知られている。このように、外気フィルター327bで空気中に含まれている微小な塵埃と臭気とが取除かれ、外気導入ファン３２１に吸込まれる。また、運転停止時には、外気導入ファン３２１が停止し、吸気運転が止まる。
【００６９】
この時、図１２に示す如く、前記外気導入機構３２を空気調和機の背部，下部に置き、前述の除去塵埃ホッパー２８１を除去塵埃ホッパー２８１の前部，上部に置く。このように配置することにより、冷媒配管８やドレン配管３７と同様に室内機２の背面，下部から導入されることの多い吸気用の換気風路３９を単純化でき、曲がりが少なく、抵抗の少ない風路とすることができる。当然のことながら抵抗の少ない風路とすることで外気導入機構の運転騒音や導入風量などの性能を向上させることができる。
【００７０】
この外気フィルター３２７ｂの収納部２８４ｂは図１１に示すように、前述の集塵ボックス２８４の後ろ半分に設けられ、前部の除去塵埃貯留部２８４ａとの間は仕切り284ｋで仕切られ、且つ、仕切りシール２８４ｍが除去塵埃ホッパー２８１の仕切り開口281ｃに密着することで、外気フィルター３２７ｂの収納部２８４ｂと除去塵埃貯留部２８４ａは完全に遮断されている。
【００７１】
集塵ボックス２８４は後ろ半分に上述のように外気フィルター３２７ｂの収納部284ｂを設け、前半分は除去塵埃の貯留部２８４ａとなっている。貯留部２８４ａの前壁は室内との通気を遮断する蓋部２８４ｎになっていて、その周囲は蓋部シール２８４ｐで除去塵埃排出口２８１ｂと密着し、除去塵埃貯留部２８４ａの塵埃が室内に飛散してくるのを防いでいる。外気フィルター３２７ｂの収納部２８４ｂは外気吸込み風路３２８ｂを二分し、後部と上部が開放され、各々、外気フィルター上流開口２８４ｊ，外気フィルター下流開口２８４ｇとなっている。外気フィルター３２７ｂは上流開口２８４ｊに密着して取付けられ、導入する外気中の塵埃を除去し、清浄して室内に供給する。また、上流開口284jの周囲は上流開口シールにより外気吸込み風路３２８ｂの内壁に密着し、導入される外気が外気フィルター３２７ｂを必ず通るようにしている。なお、上記した蓋部シール284ｐ，仕切りシール２８４ｍ，上流開口シールはシールする隙間の大小，隙間寸法のばらつきなどにより、ゴム状シール材，スポンジ状シール材，ひれ状シール材或いは単なる突合せシールなど様々な方法が考えられるが、結果として、集塵ボックス２８４を装着したときに、シール前後の洩れ量が使用上差し支えない量以下の通気量に抑制されていれば目的を達することができるのは言うまでもない。
【００７２】
３２８ｃは外気導入機構吸込み口３２５に換気風路３９を接続するための外気風路接続部であり、換気風路３９をホースバンドなどにより、外気の漏れがないように接続する。
【００７３】
次に、除去塵埃貯留部２８４ａの清掃と外気フィルター３２７ｂの清掃，交換について図１２，図１４を用いて説明する。図１４は集塵ボックス着脱部斜視図である。
【００７４】
空気調和機を運転し、長い時間が経過すると、繰返し循環気流フィルター２３１，
２３１′の清掃が行われ、前記除去塵埃貯留部２８４ａに除去した塵埃が溜ってくる。また、外気導入運転を長時間行うと外気フィルター３２７ｂに塵埃が溜ると同時に、帯電量が減少して集塵効果が低下してくる。このため、塵埃の多い環境で使用すると短ければ２〜３年に一度、除去塵埃貯留部２８４ａの清掃，外気フィルター３２７ｂの清掃，交換が必要になる。実施例では、除去塵埃貯留部２８４ａ，外気フィルター３２７ｂの収納部
２８４ｂを一体で構成し、前面パネル２５を図１２の点線の如く開いて、蓋部２８４ｎのツマミ部２８４ｃをつまんで除去塵埃排出口２８１ｂから引出し，取外す。取外した集塵ボックス２８４の除去塵埃貯留部２８４ａを清掃し、同時に収納部２８４ｂの外気フィルター３２７ｂを点検し、清掃または交換を行う。集塵ボックス２８４を除去塵埃排出口
２８１ｂから挿入し、取付け、前面パネル２５を閉じて、除去塵埃貯留部２８４ａと外気フィルター３２７ｂのメンテナンスを終了する。このように、外気導入機構の外気フィルターの収納部と清掃機構の除去塵埃貯留部という異なる２つの機能の構成部を一体化することで、メンテナンス用の開口を共用化でき、省スペース化が可能となる。また、当該一体化した部品を清掃することで当該異なる２つの機能を同時にメンテナンスすることが可能となる。
【００７５】
以上実施例によれば、外気フィルターの交換と循環気流フィルターからの貯留塵埃の清掃を一箇所で行える。
【００７６】
このため、メンテナンスが簡便になる空気調和機を得ることができる。
【００７７】
一般に、室内機が壁掛型や床置型や天吊型の空気調和機では、据付けた後の美観を考慮して、冷媒配管，ドレン配管と共に、外気用配管も室内機が接している壁面（床面，天井面を含む）から室内機に導入されることが多い。一方、循環気流フィルターは室内空気の吸込み口に設けられるため、いきおい、室内機が接している壁面（床面，天井面を含む）を除いた面に設けられる。
【００７８】
これにより、外気用の風路を室内機と室の壁面（床面，天井面を含む）との対向面側に、循環気流フィルターの清掃時の塵埃の移動経路を室内空気の吸込み面側に設置でき、交叉した場合に必要となる寸法の増加や、交叉を回避するための寸法の増加が不要になる。
【００７９】
このため、配置に無駄が無くなり省スペース化が図れる空気調和機を得ることができる。
【００８０】
これにより、定期的に交換や清掃等のメンテナンスが必要な外気フィルターと、定期的な清掃が必要な循環気流フィルターの塵埃貯留手段を一緒に取外し，取付けができるので、一度に両方のメンテナンスができ、便利である。
【００８１】
このため、使用者の利便性が向上する空気調和機を得ることができる。
【００８２】
これにより、外気フィルターと塵埃の貯留部を一緒に室内側から簡単に取外して清掃できる。
【００８３】
このため、使用者の利便性が更に向上する空気調和機を得ることができる。
【図面の簡単な説明】
【００８４】
【図１】空気調和機の構成図。
【図２】図１の室内機の内部正面図。
【図３】図１の室内機の側断面図。
【図４】清掃機構の斜視図。
【図５】捕集塵埃の掃き取り動作詳細図。
【図６】除塵ブラシの動作説明図１。
【図７】除塵ブラシの動作説明図２。
【図８】除塵ブラシの動作説明図３。
【図９】除塵ブラシの動作説明図４。
【図１０】除去塵埃ホッパーの斜視図。
【図１１】集塵ボックスの斜視図。
【図１２】図２のＡＡ断面図。
【図１３】外気導入機構の透視斜視図。
【図１４】集塵ボックス着脱部の斜視図。
【符号の説明】
【００８５】
１  空気調和機
２  室内機
５  リモコン
６  室外機
８  冷媒配管
２１  筐体
２３  化粧枠
２５  前面パネル
２７  空気吸込み口
２９  空気吹出し口
３２  外気導入機構
３３  室内熱交換器
３５  露受皿
３７  ドレン配管
３９  換気風路
２３０，２３０′  空気吸込部
２３１，２３１′  循環気流フィルター
２３２，２３２′  フィルター枠
２３４  案内枠
２３５，２３５′  レール
２３６  塵埃
２３７  ラック
２３８，２３８′  待機部
２４１  移動手段
２４２  移動用モータ
２４３  推進軸
２４４  スクリュウ
２４５  軸受
２５１  可動パネル
２６１  キャリッジ
２６２，２６２′  刷毛支持枠
２６７，２６７′  掃除用刷毛
２６８，２６８′  刷毛押え、
２６９，２６９′  レバー突起
２７０，２７０′  除塵ブラシ
２７１，２７１′  除去ブラシ
２７１ａ，２７１ａ′  除去ブラシ面
２７１ｂ，２７１ｂ′  非ブラシ面
２７１ｃ，２７１ｃ′  回動レバー
２７１ｄ，２７１ｄ′  回動ばね
２７１ｅ，２７１ｅ′  ひれ
２７１ｆ，２７１ｆ′  ストッパ
２７３，２７３′  塵埃戻り防止ブラシ
２７３ａ，２７３ａ′  塵埃戻り防止ブラシ面
２７６，２７６′  ブラシホルダー
２７７，２７７′  戻しばね
２７８，２７８′  押圧ばね
２８１  除去塵埃ホッパー
２８１ａ，２８１ａ′  ホッパー開口
２８１ｂ  除去塵埃排出口
２８１ｃ  仕切り開口
２８４  集塵ボックス
２８４ａ  除去塵埃貯留部
２８４ｂ  外気フィルター収納部
２８４ｃ  ツマミ部
２８４ｅ  貯留部開口
２８４ｇ  下流開口
２８４ｊ  上流開口
２８４ｋ  仕切り
２８４ｍ  仕切りシール
２８４ｎ  蓋部
２８４ｐ  蓋部シール
２９０  吹出し風路
２９１  上下風向板
２９５  左右風向板
３１１  送風ファン
３１３  送風モータ
３２１  外気導入ファン
３２５  外気導入機構吸込み口
３２６  外気導入機構吹出し口
３２７ｂ  外気フィルター
３２８ｂ  外気吸込み風路
３２８ｃ  外気風路接続部
３９６  受光部
３９７  表示部
【図１】
2008116122.tif 000003
【図２】
2008116122.tif 000004
【図３】
2008116122.tif 000005
【図４】
2008116122.tif 000006
【図５】
2008116122.tif 000007
【図６】
2008116122.tif 000008
【図７】
2008116122.tif 000009
【図８】
2008116122.tif 000010
【図９】
2008116122.tif 000011
【図１０】
2008116122.tif 000012
【図１１】
2008116122.tif 000013
【図１２】
2008116122.tif 000014
【図１３】
2008116122.tif 000015
【図１４】
2008116122.tif 000016